(57)【要約】【課題】蓋の回転量を小さくして蓋を容易かつ安定的にロック状態、又はアンロック状態にすることのできる容器および蓋の係止構造を提供する。【解決手段】容器および蓋の係止構造１０は、円筒状口部の外周側面に周方向に対して一定の傾斜角をもって所定のピッチで形成され、径方向外側に突出する複数のリブ２６と、環状壁の内周側面にリブ２６と同じ傾斜角をもって周方向に等ピッチで形成され、径方向内側に突出する複数のリードねじ３６と、環状壁の内周側面において、リードねじ３６に対し周方向に隣接して配置され、径方向内側の突出高さがリードねじ３６より低い隆起部３８とを備える。容器２０の円筒状口部に蓋３０を被せて周方向一方側に回転させたとき、リブ２６が隆起部３８を乗り越えてリードねじ３６と隆起部３８との間に嵌まり込むことにより、蓋３０が容器２０に密閉状態でロックされる。【選択図】図１
2017001735.tif 000002
【特許請求の範囲】
【請求項１】
有底の容器の円筒状口部に蓋の環状壁が係止される容器および蓋の係止構造であって、
前記円筒状口部の外周側面に周方向に対して一定の傾斜角をもって所定のピッチで形成され、径方向外側に突出する複数のリブと、
前記環状壁の内周側面に前記リブと同じ前記傾斜角をもって周方向に等ピッチで形成され、径方向内側に突出する複数のリードねじと、
前記環状壁の内周側面において、前記リードねじに対し周方向に隣接して配置され、径方向内側の突出高さが前記リードねじより低い隆起部と、
を備え、
前記容器の前記円筒状口部に前記蓋を被せて周方向一方側に回転させたとき、前記リブが前記隆起部を乗り越えて前記リードねじと前記隆起部との間に嵌まり込むことにより、前記蓋が前記容器に密閉状態でロックされることを特徴とする容器および蓋の係止構造。
【請求項２】
請求項１に記載の容器および蓋の係止構造において、
前記リードねじの個数は、前記リブの個数より多いことを特徴とする容器および蓋の係止構造。
【請求項３】
請求項２に記載の容器および蓋の係止構造において、
隣接する２つの前記リブの周方向におけるリブピッチと、隣接する２つの前記リードねじの周方向におけるねじピッチとが、整数倍の関係にあることを特徴とする容器および蓋の係止構造。
【発明の詳細な説明】
【技術分野】
【０００１】
本発明は、容器および蓋の係止構造に関する。
【背景技術】
【０００２】
一般的に、容器に対して蓋をねじ込んで密閉状態とする従来のねじ込み式係止構造においては、容器の口部にリブを所定のピッチで例えば一周以上形成し、これに螺合するように蓋の環状壁の内側にもリードねじ山を容器のリブと同一ピッチで例えば一周以上形成し、容器の口部に蓋を被せて閉方向（蓋側から見て時計回り方向、以下同じ）に回転させることでリブとリードねじ山とを螺合させ、容器を密閉状態とする。
【０００３】
特許文献１には、容器のリブを偶数個とし、容器のリブについて蓋のリードねじ山のリード角とは異なったリード角を有するリブを一つ置きに備えることで、容器に対して蓋をねじ込んだとき、リード角が異なる容器のリブと蓋のリードねじ山とが摩擦係合して、蓋が密閉状態となることが記載されている。
【先行技術文献】
【特許文献】
【０００４】
【特許文献１】特許第３７９０７３３号明細書
【発明の概要】
【発明が解決しようとする課題】
【０００５】
蓋をねじ込んで密閉状態とする従来のねじ込み式係止構造において、容器を密閉するとき作業者は容器の口部に蓋を被せて閉方向に回転させるが、このとき蓋を持ち替えながら複数回にわたり回転させる必要がある。そのため、一日に例えば何百個もの容器について蓋の閉じ作業を行う作業者にとっては蓋の回転量が大きいほど負担増大となる。
【０００６】
また、特許文献1に開示される技術では、容器のリブと蓋のリードねじ山との摩擦力で締結力を得るため、蓋を閉じる力によって蓋の締結力にばらつきが生じる可能性がある。
【０００７】
本発明の目的は、蓋をねじ込んで密閉状態とする従来のねじ込み式係止構造に比べ、蓋の回転量を小さくして蓋を容易かつ安定的にロック状態、又はアンロック状態にすることのできる容器および蓋の係止構造を提供することである。
【課題を解決するための手段】
【０００８】
本発明に係る容器および蓋の係止構造は、有底の容器の円筒状口部に蓋の環状壁が係止される容器および蓋の係止構造であって、円筒状口部の外周側面に周方向に対して一定の傾斜角をもって所定のピッチで形成され、径方向外側に突出する複数のリブと、環状壁の内周側面にリブと同じ傾斜角をもって周方向に等ピッチで形成され、径方向内側に突出する複数のリードねじと、環状壁の内周側面において、リードねじに対し周方向に隣接して配置され、径方向内側の突出高さがリードねじより低い隆起部と、を備え、容器の円筒状口部に蓋を被せて周方向一方側に回転させたとき、リブが隆起部を乗り越えてリードねじと隆起部との間に嵌まり込むことにより、蓋が容器に密閉状態でロックされることを特徴とする。
【０００９】
本発明に係る容器および蓋の係止構造において、リードねじの個数は、リブの個数より多いことが好ましい。
【００１０】
本発明に係る容器および蓋の係止構造において、隣接する２つのリブの周方向におけるリブピッチと、隣接する２つのリードねじの周方向におけるねじピッチとが、整数倍の関係にあることが好ましい。
【発明の効果】
【００１１】
本発明に係る容器および蓋の係止構造は、円筒状口部の外周側面に周方向に対して一定の傾斜角をもって所定のピッチで形成され、径方向外側に突出する複数のリブと、環状壁の内周側面にリブと同じ傾斜角をもって周方向に等ピッチで形成され、径方向内側に突出する複数のリードねじと、環状壁の内周側面において、リードねじに対し周方向に隣接して配置され、径方向内側の突出高さがリードねじより低い隆起部とを備える。容器の円筒状口部に蓋を被せて周方向一方側に回転させたとき、リードねじと隆起部との間にリブが嵌まり込むことで蓋がロックされるため、蓋をねじ込んで密閉状態とする従来のねじ込み式係止構造に比べて蓋の回転量を小さくして蓋を容易かつ安定的にロック状態、又はアンロック状態にすることができる。その結果、容器を密閉状態とする作業および密閉状態から容器を開口させる作業の容易化が図れる。
【００１２】
本発明に係る容器および蓋の係止構造において、リードねじの個数がリブの個数より多いことにより、蓋を周方向に回転させて蓋をロック状態、又はアンロック状態にするときの蓋の回転量を小さくすることができる。また、リードねじの個数よりリブの個数が少ないことで、容器を形成するためのブロー成形用金型のリブ形成用溝の個数が少なくて済み、金型の作製が容易になって低コスト化できる。
【００１３】
本発明に係る容器および蓋の係止構造において、リブピッチとねじピッチとが整数倍の関係にあることで、すべてのリブがリードねじと隆起部との間に同時に嵌まり込むため、蓋のロック状態、又はアンロック状態をより確実なものとすることができる。
【図面の簡単な説明】
【００１４】
【図１】本発明の実施形態である容器および蓋の係止構造の（ａ）蓋および（ｂ）容器の斜視図である。
【図２】本発明の実施形態である容器および蓋の係止構造の（ａ）蓋および（ｂ）容器の径方向における断面図である。
【図３】図２における蓋の環状壁のＸ-Ｘ断面図である。
【図４】本発明の実施形態において容器に蓋を閉じる動作を説明する図である。
【図５】本発明の実施形態においてリブにリードねじが係止される動作を説明する図である。
【図６】図５におけるリブにリードねじが係止される動作を説明するための、図５（ａ）中のＹ−Ｙ断面図である。
【発明を実施するための形態】
【００１５】
以下に図面を用いて本発明に係る実施の形態につき、詳細に説明する。以下で述べる材質、形状、寸法等は、説明のための例示であって、容器および蓋の係止構造の仕様に合わせ、適宜変更が可能である。以下では、全ての図面において対応する要素には同一の符号を付し、重複する説明を省略する。
【００１６】
図１は、本発明の実施形態である容器および蓋の係止構造１０の（ａ）蓋および（ｂ）容器の斜視図である。図１において、径方向は容器２０を上面から見た場合の円筒状口部の直径方向であり、軸方向は、容器２０および蓋３０の高さ方向であり、周方向は、円筒状又は環状をなす容器２０および蓋３０の周囲に沿う方向である。また、図２は、本実施形態である容器および蓋の係止構造の（ａ）蓋および（ｂ）容器の径方向における断面図である。
【００１７】
図１および図２に示すように、容器および蓋の係止構造１０は、容器２０と蓋３０とを含む。容器２０は、例えば、海苔、錠剤、乾燥剤、およびその他の内容物を収容するものである。容器２０は、有底で筒状の胴体部２２と、胴体部２２の上部に連なる円筒状口部２４とを有する。胴部２２と円筒状口部２４との境界部には段部２３が形成されている。
【００１８】
容器２０は、その口部が円筒状であればよく、円筒状口部２４より下側は円筒状、正方体状、直方体状等であってもよい。容器２０の材質は、金属、ガラス、ポリプロピレン、およびその他の合成樹脂等、内容物や目的に応じたものを適宜用いることができる。例えば、軽量、かつ内容物が確認しやすい等の観点から、容器２０を透明のプラスチック容器とすることができる。また、透明のプラスチック容器として、例えば、材質にポリプロピレンを用いる場合、容器２０はブロー成形により形成することができる。
【００１９】
円筒状口部２４は、容器２０に内容物を収容するための開口部である。円筒状口部２４の外周側面上には、複数のリブ２６が径方向外側へ突出して形成されている。これらのリブ２６は、後述する蓋３０の環状壁３４に形成されるリードねじと係止されて蓋３０をロックする機能を有する。また、容器２０の円筒状口部２４の外径は、環状壁３４の内径と略同径に形成されている。
【００２０】
リブ２６は、細長い突条をなして形成され、周方向に対して一定の傾斜角をもって所定のピッチで配置されている。リブ２６の個数は、２つ以上あればよいが、個数が多いほど容器２０および蓋３０の係止が確実になされるので好ましい。本実施形態では、例えば６つのリブ２６が形成されている。このようにリブ２６の数を６つと比較的少なくしたことで、容器２０を形成するためのブロー成形用金型のリブ形成用溝の個数が少なくて済み、金型の作製が容易になり低コスト化することができる。
【００２１】
また、リブ２６は、所定のピッチで配置される。具体的には、リブ２６は、例えば６０°ピッチにすることができる。このようなリブ２６のピッチは、後述する蓋３０のねじピッチの整数倍とするのが好ましい。ここで、リブ２６は、円筒状口部２４の全周にわたって等ピッチで形成されていなくもてよい。例えば、例えば４５°ピッチで円筒状口部２４の全周にリブ２６を形成した場合、８つのリブ２６が形成されることになるが、そのうち径方向に対向する２つのリブの形成を省略して、６つのリブ２６を形成することとしてもよい。この場合、容器２０をブロー成形用の２分割の金型で製造するとき、その金型の分割位置に上述したリブ形成省略位置を対応させることができる。このようにすることで、２つの金型の分割位置にリブ形成用溝を設けなくてもよく、金型製造が容易になる利点がある。
【００２２】
蓋３０は、容器２０の円筒状口部２４に被せて閉じる機能を有する。蓋３０は、軸方向上側にある円形の天面部３２と、天面部３２の周縁から軸方向下側に垂下する環状壁３４とを有する。蓋３０の材質は、蓋２０を開閉する際に弾性変形が生じる材料で形成されるのが好ましく、例えば、ポリエチレンやポリプロピレン等の合成樹脂を用いることができる。
【００２３】
蓋３０の天面部３２の上面は、平板状であってもよいし、図２に示すように周縁領域が一段低くなった形状をなしてもよい。蓋３０の環状壁３４は、容器２０の円筒状口部２４に被せた状態でリブ２６によって係止される部分である。
【００２４】
円筒状をなす環状壁３４の軸方向の高さは、例えば、容器２０の段部２３から円筒状口部２４の上端部までの高さより若干短く形成されている。これにより、容器２０の円筒状口部２４を閉じるように被せたとき、円筒状口部２４の上端部が蓋３０の天面部３２に当接することによって、容器２０に対する蓋３０の軸方向位置が決まって密閉状態になるように構成されている。ただし、これに限定されるものではなく、円筒状口部２４の軸方向の高さを容器２０の段部２３から円筒状口部２４の上端部までよりも長く形成し、環状壁３４の下端部が容器２０の段部２３に当接することよって容器２０に対する蓋３０の軸方向位置が決められて密閉されてもよい。
【００２５】
環状壁３４の内周側面上には、複数のリードねじ３６と、リードねじ３６に対して周方向に隣接して配置される隆起部３８とが形成されている。
【００２６】
リードねじ３６は、円筒状口部２４に対して蓋３０をロック状態に係止させるためのねじ山である。リードねじ３６は、環状壁３４の内周側面にリブ２６と同じ傾斜角をもって周方向に等ピッチで配置され、径方向内側に突出している。また、リードねじ３６は、容器２０のリブ２６と同様に、細長い突条に形成されている。このようにリードねじ３６がリブ２６と同様の形状でかつ同じ傾斜角で形成されていることで、後述するように蓋３０を密閉状態で閉じるときにリブ２６に対してリードねじ３６を互いに延伸方向に沿ってぴったりと密着した状態に係止することができる。
【００２７】
ここで、リードねじ３６（およびリブ２６）の周方向に対する傾斜角は、例えば、１０°以上５０°以下が好ましく、３０°とするのが特に好ましい。傾斜角が１０°未満であるとリードねじ３６およびリブ２６が水平に近づくため、容器２０の円筒状口部２４に蓋３０を被せたときにリードねじ３６がリブ２６と接触しつつ蓋３０が回転するガイド機能を果たしにくくなる。また、傾斜角が５０°より大きいと、例えば、容器２０と蓋３０が係止された状態で蓋３０のみをもって持ち上げた場合に、蓋３０のリードねじ３６と隆起部３８との間からリブ２６が抜け出して係止状態が維持されない可能性がある。
【００２８】
リードねじ３６は、周方向に等ピッチで形成されることで、そのピッチに相当する回転量でリードねじ３６が容器２０のリブ２６に当接できる。このときリードねじ３６がすべてのリブ２６に同時に当接できるよう、隣接する２つのリブ２６の周方向におけるリブピッチと、隣接する２つのリードねじ３６の周方向におけるねじピッチとが、整数倍の関係にあることが好ましい。例えば、リードねじ３６のピッチが１５°であるとすると、容器２０のリブ２６のピッチは３０°、４５°、９０°等の整数倍にすることができる。
【００２９】
リードねじ３６の個数は、リブ２６の個数より多いことが好ましい。リードねじ３６の個数が少ないとねじピッチが広くなるため、リブ２６とリードねじ３６とを係止させるために必要な蓋３０の回転量が大きくなるからである。また、リードねじ３６の個数が例えばリブ２６と同等程度の個数の場合、蓋３０を容器２０の円筒状口部２４に被せたときにリードねじ３６がリブ３６の間の領域に挿入配置されて、上述したような蓋３０がスライド回転するガイド機能を果たせない場合が生じるからである。
【００３０】
隆起部３８は、リブ２６がリードねじ３６と隆起部３８との間に嵌まり込んで、蓋３０をロック状態とするものである。隆起部３８は、リードねじ３６に対し周方向における閉方向の進行方向後方側に隣接して配置される。また、リードねじ３６と隆起部３８との間の寸法は、リブ２６がぴったりと嵌まり込む程度に形成されるのが好ましい。これにより、リードねじ３６と隆起部３８との間にリブ２６が嵌まり込んで蓋３０がロック状態になったとき、蓋３０はがたつきなく安定した密閉状態になる。
【００３１】
隆起部３８の形状は、点状、線状等目的に応じて適宜用いることができる。本実施形態では、例えば、１つのリードねじ３６に対して２つの点状の隆起部３８を設けた例を示す。ただし、これに限定されるものではなく、１つのリードねじ３６に対して、１つの点状の隆起部３８を設けてもよいし、又は、３つの以上の点状の隆起部３８を設けてもよい。あるいは、隆起部３８の形状は、点状に限定されるものではなく、例えばリードねじ３６と同様の細長い突条に形成されてもよい。
【００３２】
また、隆起部３８の側面は、環状壁３４の内周側面に対して傾斜面に形成されるのが好ましい。これにより、後述するように蓋３０をロック状態に閉じるとき、容器２０のリブ２６が隆起部３８を乗り越えやすくなる利点がある。
【００３３】
図３は、図２における蓋の環状壁のＸ-Ｘ断面図である。図３に示すように、隆起部３８は、径方向内側に突出する突出高さｈがリードねじ３６の突出高さＨより低く形成されている。蓋３０を容器２０に被せてロック状態にするために蓋３０を閉方向に回転させたとき、蓋３０が弾性変形することによって、容器２０のリブ２６が隆起部３８を乗り越えて回転することができる。他方、リードねじ３６の突出高さＨは、蓋３０の弾性変形では乗り越えられない高さＨに設定されている。したがって、隆起部３８を乗り越えたリブ２６がリードねじ３６に当接することによって、蓋３０のロック時の回転が停止するようになっている。
【００３４】
次に、図４〜図６を参照して、容器および蓋の係止構造の作用について説明する。図４は、本実施形態において容器２０に蓋３０を閉じる動作を説明する図である。図５は、本実施形態においてリブ２６にリードねじ３６が係止する動作を説明する図である。図６は、リブ２６にリードねじ３６が係止する動作を説明するための、図５（ａ）中のＹ−Ｙ断面図である。
【００３５】
容器２０を蓋３０で閉じる作業を行う作業者は、例えば、乾燥剤と味付け海苔等の内容物を容器２０に収容した後、図４（ａ）に示すように蓋３０を容器２０の円筒状口部２４に対向させた位置にもってくる。そして、図４（ｂ）に示すように、容器２０の円筒状口部２４に蓋３０を上側から矢印Ａ方向に被せる。このとき、蓋３０のリードねじ３６が容器２０のリブ２６に当接してスライドするようにガイドされることによって、図４（ｃ）に示すように蓋３０が回転しながら下方へ移動する。そして、容器２０の円筒状口部２４の上端部が蓋３０の天面部３２の内面に当接したとき、蓋３０の軸方向移動が止まる。
【００３６】
このように容器２０に対して蓋３０の軸方向移動が止まった状態では、図５（ａ）および図６（ａ）に示すように、容器２０のリブ２６が蓋３０の隆起部３８の近傍に位置している。この状態で、作業者が蓋３０を容器２０に対して矢印Ｂで示す閉方向に回転させると、図５（ｂ）および図６（ｂ）に示すように蓋３０の隆起部３８が容器２０のリブ２６に当接する。このとき、リブ２６および隆起部３８はいずれも傾斜した表面を有しているため、蓋３０のさらなる回転によって隆起部３８がリブ２６で径方向外側に押されて蓋３０が弾性変形する。その結果、図４（ｄ）、図５（ｃ）および図６（ｃ）に示すように、リブ２６が隆起部３８を乗り越えてリードねじ３６と隆起部３８との間に嵌まり込む。
【００３７】
このように容器２０のリブ２６が蓋３０のリードねじ３６と隆起部３８との間に嵌まり込むと、蓋３０の弾性変形によってはリブ２６が乗り越えられない突出高さＨに設定されているリードねじ３６に当接することによって、蓋３０のそれ以上の回転が規制されたロック状態になる。これにより、容器２０が蓋３０によって密封状態に閉じられる。
【００３８】
上述した本実施形態の容器および蓋の係止構造１０によれば、作業者が蓋３０を容器２０に被せて少し回転させると、リードねじ３６と隆起部３８との間にリブ２６が嵌まり込んで蓋３０がロック状態になる。そのため、蓋をねじ込んで密閉状態とする従来のねじ込み式係止構造に比べて、作業者による蓋３０の回転量が大幅に小さくなる。その結果、一日に例えば何百個もの容器に内容物を収容して蓋を閉じる作業が容易になり、作業者の負担軽減を図れる。
【００３９】
また、本実施形態によれば、容器２０に対する蓋３０の軸方向位置が決まった状態で、かつ、容器２０のリブ２６が蓋３０のリードねじ３６と隆起部３８との間に嵌まり込んで蓋３０がロック状態になるため、容器２０に対する蓋３０の軸方向位置がばらつくことによって蓋３０の締結力が不安定になることもない。
【００４０】
次に、本実施形態の容器２０および蓋３０の係止構造において、蓋３０を開くときの動作を説明する。例えば、海苔等の内容物が収容された容器２０を購入した消費者が蓋３０を持って開方向（すなわち蓋側から見て反時計回り方向）に回転させると、ロック状態にする場合と逆の動作によって僅かな回転によってリブ２６が隆起部３８を乗り越えてロック状態が解除される。すなわち、蓋３０がアンロック状態になる。この状態で、消費者が容器２０に対して蓋３０を持ち上げると、容器２０の円筒状口部２４を開くことができる。したがって、本実施形態によれば、容器２０の蓋３０を少しの回転量で容易に開放することができ、消費者の開閉動作の負担も軽減することができる。
【符号の説明】
【００４１】
１０  容器および蓋の係止構造、２０  容器、２２  胴体部、２３  段部、２４  円筒状口部、２６  リブ、３０  蓋、３２  天面部、３４  環状壁、３６  リードねじ、３８  隆起部。
【図１】
2017001735.tif 000003
【図２】
2017001735.tif 000004
【図３】
2017001735.tif 000005
【図４】
2017001735.tif 000006
【図５】
2017001735.tif 000007
【図６】
2017001735.tif 000008
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
有底の容器の円筒状口部に蓋の環状壁が係止される容器および蓋の係止構造であって、
前記円筒状口部の外周側面に周方向に対して一定の傾斜角をもって所定のピッチで形成され、径方向外側に突出する複数のリブと、
前記環状壁の内周側面に前記リブと同じ前記傾斜角をもって周方向に等ピッチで形成され、径方向内側に突出する複数のリードねじと、
前記環状壁の内周側面において、前記リードねじに対し周方向に隣接して配置され、径方向内側の突出高さが前記リードねじより低い隆起部と、
を備え、
前記容器の前記円筒状口部に前記蓋を被せて周方向一方側に回転させたとき、前記リブが前記隆起部を乗り越えて前記リードねじと前記隆起部との間に嵌まり込むことにより、前記蓋が前記容器に密閉状態でロックされ、
前記環状壁の前記周方向に隣り合って配置される前記リードねじの夫々の一部が前記環状壁の軸方向に重なり、
前記蓋を前記容器の上側から前記軸方向に被せる際、前記蓋の前記リードねじが前記容器の前記リブに当接してスライドするようにガイドされることによって、前記蓋が回転しながら下方に移動することを特徴とする容器および蓋の係止構造。
【請求項２】
請求項１に記載の容器および蓋の係止構造において、
前記リードねじの個数は、前記リブの個数より多いことを特徴とする容器および蓋の係止構造。
【請求項３】
請求項２に記載の容器および蓋の係止構造において、
隣接する２つの前記リブの周方向におけるリブピッチと、隣接する２つの前記リードねじの周方向におけるねじピッチとが、整数倍の関係にあることを特徴とする容器および蓋の係止構造。
【手続補正２】
【補正対象書類名】明細書
【補正対象項目名】０００８
【補正方法】変更
【補正の内容】
【０００８】
本発明に係る容器および蓋の係止構造は、有底の容器の円筒状口部に蓋の環状壁が係止される容器および蓋の係止構造であって、円筒状口部の外周側面に周方向に対して一定の傾斜角をもって所定のピッチで形成され、径方向外側に突出する複数のリブと、環状壁の内周側面にリブと同じ傾斜角をもって周方向に等ピッチで形成され、径方向内側に突出する複数のリードねじと、環状壁の内周側面において、リードねじに対し周方向に隣接して配置され、径方向内側の突出高さがリードねじより低い隆起部と、を備え、容器の円筒状口部に蓋を被せて周方向一方側に回転させたとき、リブが隆起部を乗り越えてリードねじと隆起部との間に嵌まり込むことにより、蓋が容器に密閉状態でロックされ、環状壁の周方向に隣り合って配置されるリードねじの夫々の一部が環状壁の軸方向に重なり、蓋を容器の上側から軸方向に被せる際、蓋のリードねじが容器のリブに当接してスライドするようにガイドされることによって、蓋が回転しながら下方に移動することを特徴とする。